(57)【特許請求の範囲】
【請求項１】
既存家屋の外側面に対して新規外装材を施工する下地として、一定間隔で配置した凸リブを有するクッション材上に肉厚１．６ｍｍ以下の金属薄板材よりなる下地材を載置して介在させたものであって、前記下地材がクッション材に沿って折れ曲がっており、この折れ曲がった先端部分が前記凸リブにぶつかることを特徴とする既存家屋の外装改修構造。
【発明の詳細な説明】
【０００１】
【産業上の利用分野】
本発明は、既存家屋の壁、屋根等をそのまま残して、その外側面に新規外装材を施工し、居住性、施工性を向上する既存家屋の外装改修構造に関するものである。
【０００２】
【従来の技術】
従来の外装改修構造では、下地材の素材として（ａ）木材、（ｂ）肉厚が１．６ｍｍを超える厚肉鉄骨材、等を用いることが多かった。
【０００３】
【発明が解決しようとする課題】
（ａ）にあっては、（イ）施工に熟練を要したり、（ロ）廃材が発生しやすく、（ｂ）を用いた場合は、（ハ）軽量化を図ることが困難な面があり、また、（ニ）重量物であるため、重機（クレーン車等）を使用しなければならない、（ホ）加工が難しく施工性に劣る、等の欠点があった。
【０００４】
【課題を解決するための手段】
本発明は従来におけるこのような欠点を除去するため、一定間隔で配置した凸リブを有するクッション材上に肉厚１．６ｍｍ以下の金属薄板材よりなる下地材を載置して介在させたものであって、前記下地材がクッション材に沿って折れ曲がっており、この折れ曲がった先端部分が前記凸リブにぶつかるようにしたことで、軽量化、施工性の向上を図った既存家屋の外装改修構造を提案するものである。
【０００５】
【実施例】
以下に、図面を用いて本発明に係る既存家屋の外装改修構造について詳細に説明する。図１〜図３は本発明に係る既存家屋の外装改修構造Ａを既存家屋Ｂの壁、屋根に使用した一例を示す構成略図であり、図１、図２において１は既存壁で、主柱２、間柱３、木摺り４、ラス材５、シート状物６、モルタル７とからなるものである。なお、既存壁１の構造には大壁、真壁の他にツ−バイフォ−（２×４）構造の壁も含むものである。
【０００６】
図３は既存家屋Ｂの屋根に本構造を使用した一例を示す構成略図であり、８は既存屋根で、母屋９、垂木１０、野地板１１、コロニアル１２からなるものである。また、既存屋根８として、金属系屋根材を改修の対象として使用することもできる。
【０００７】
新規外装材Ｃは、図１〜３では金属サイディング材、金属屋根材を示したが他にセメント板、炭酸カルシウム板、珪酸カルシウム板、セラミック板、木片セメント板、炭酸マグネシウム板等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、あるいは各種繊維をクロス状、三次元状に織り、これにセメント、粘土等を含浸してパネル状に成形したものを蒸気養生、あるいは焼成したもの、もしくは金属薄板間に合成樹脂発泡体を積層したサンドイッチパネル等も含まれるものである。勿論乾式ボードであれば、上記した例に限らず、任意に使用し得るものである。
【０００８】
金属薄板材Ｄからなる下地材Ｅは、肉厚１．６ｍｍ以下の鉄、アルミニウム、銅、ステンレス、チタン等の一種、あるいは、アルミ・亜鉛合金メッキ鋼板、ホーロー鋼板、クラッド鋼板、ラミネート鋼板（塩ビ鋼板等）、サンドイッチ鋼板（制振鋼板等）等（勿論、これらを各種色調に塗装したカラー金属板を含む）の一種をロール成形、プレス成形等して鉄骨材としたもの、もしくはアルミニウム合金を素材とすることもできる。さらにこれら素材とプラスチック樹脂、ＦＲＰ樹脂等との複合化を図ったり、また樹脂に対して、木材粉末等を混入することも可能である。また、図では下地材Ｅとしてリップ溝形鋼を使用しているが、Ｈ形鋼、Ｉ形鋼、ミゾ形鋼、軽量ミゾ形鋼、等辺山形鋼、不等辺山形鋼、等よりなる金属薄板材Ｄよりなる下地材Ｅを使用しても良いものである。
【０００９】
クッション材Ｆは、例えばポリ塩化ビニル系、クロロプレン系、クロロスルホン化ポリエチレン系、エチレンプロピレン系、アスファルト含浸ポリウレタン系等の一般的に市販されているものであり、主に防水材、気密材等の機能として有用なものであるが、他に軟質のポリウレタン、塩化ビニル、ポリエチレン、ポリスチレン、ユリアフォーム等を用いることもできる。また耐火性のあるクッション材Ｆとしてはロックウールフェルト、セラミックウールフェルトを使用することもできる。
【００１０】
次に施工例について簡単に説明する。いま図１に示すような縦張りの改修壁を形成するには、既存壁１上に主柱２、間柱３の位置を確認し、その対応する位置に２点鎖線で示すクッション材Ｆを縦に配置する。次にこのクッション材Ｆ上に下地材Ｅを載置すると共に、固定具１３を介してモルタル７の凹凸をクッション材Ｆの弾力によって排除して固定する。次に、図示しないが土台部にスタータを固定し、１点鎖線で示すような新規外装材Ｃを固定具１３を介して土台から軒に向かって順次施工するものである。また図２の縦張りの改修壁を施工する場合には、クッション材Ｆを水平方向に一定間隔で配置し、このクッション材Ｆ上に下地材Ｅを図示のように水平に載置固定する。次に、この下地材Ｅ上に左右一方から他方側に向かって縦張りの新規外壁材Ｃを順次連結固定する工程を繰り返し行えばよいものである。さらに図３は、屋根に使用した場合で、既存屋根８上に垂木１０を確認し、対応する位置に２点鎖線で示すクッション材Ｆを配置する。次にこの一定間隔で配置したクッション材Ｆ上に下地材Ｅを載置して介在させると共に、固定具１３を介してコロニアル１２の凹凸をクッション材Ｆの弾力によって排除して固定する。図３の横葺屋根の場合は、図示しないが軒部にスタータを固定し、１点鎖線で示すような新規外装材Ｃを固定具１３を介して装着し、順次軒から棟に向かって繰り返して施工すればよいものである。
【００１１】
図３ではコロニアルを使用した既存屋根８の例を示したが、瓦、瓦棒葺等各種屋根において本発明を実施することができることは言うまでもない。また、凹凸の大きな屋根の場合は、既存屋根８形状に対応した下地材Ｅを採用すればよいものである。
【００１２】
以上説明したのは本発明に係る既存家屋の外装改修構造の一実施例にすぎず、図４〜図１０に示すような部材を使用することができる。すなわち図４（ａ）〜（ｄ）はクッション材Ｆのその他の例を示す説明図であり、（ａ）は円弧状の凸リブ１４を中央に１条形成し、下地材Ｅのガイドを容易としたもの、（ｂ）は半円状の凸リブ１４を２条形成したもの、（ｃ）は角状状の凸リブ１４を中央に１条形成したもの、（ｄ）は（ｃ）において、広幅角状の凸リブ１５を形成したものである。
【００１３】
図５（ａ）〜（ｅ）は下地材Ｅのその他の例を示す説明図であり、（ａ）は箱冠状のもの、（ｂ）はＬ字状断面のもの、（ｃ）は凸状断面のもの、（ｄ）、（ｅ）はクランク状断面の下地材Ｅを示すものである。
【００１４】
図６〜図８は新規外装材Ｃのその他の例を示すものであり、図６（ａ）は芯材１６充填型の外壁材１７、（ｂ）は（ａ）の目地底辺１８を広幅に形成し、芯材１６を下方に膨出したもの、（ｃ）は（ａ）において化粧面１９の中央に化粧リブ２０を１条形成したもの、（ｄ）は（ｂ）において化粧リブ２０を上端寄りに偏位して形成したもの、（ｅ）は鎧張状化粧面２１を２段形成した場合である。
【００１５】
図７（ａ）は図６（ｅ）において鎧張状化粧面２１を３段形成したもの、（ｂ）はセミ鎧張状化粧面２２を２段形成したもの、（ｃ）は（ｂ）においてセミ鎧張状化粧面２２を３段形成したもの、（ｄ）はセラミック外壁材２３で化粧リブ２０の無いもの、（ｅ）は（ｄ）において化粧リブ２０を中央に配設し、上下端部を相决状に形成したものである。
【００１６】
図８（ａ）は相决状セラミック外壁材２３で中空部２４を形成したもの、（ｂ）〜（ｄ）は縦張外壁材２５を示し、（ｂ）は芯材１６を薄く充填したもの、（ｃ）は雌型連結部２６裏面に位置する芯材１６を一部膨出したもの、（ｄ）は（ｃ）において雄型連結部２７裏面に位置する芯材１６を一部切り欠き、雌型連結部２６裏面までを膨出したものである。
【００１７】
図９〜図１０は新規外装材Ｃとして屋根材２８を採用した一例であり、図９（ａ）は屋根材２８に芯材１６を充填一体化し、固定片２９先端で芯材上端を包み込んだもの、（ｂ）は芯材１６の厚さを一定にし、屋根材２８の固定片２９を省略したもの、（ｃ）は屋根材２８と芯材１６と接着剤を介して一体化し、芯材１６上端を固定片２９先端より突出して形成したもの、（ｄ）は（ｃ）において、固定片２９を削除したもの、（ｅ）は（ｃ）において芯材１６を一定厚さに形成し、屋根材２８の下端部分を幾分傾斜させたもの、（ｆ）は（ｃ）において、芯材１６厚さをほぼ一定にし、上端突出部を幾分厚めにすると共に、裏面材３０を芯材１６の全露出面及び固定片先端に一部被って形成したもの、（ｇ）は（ｆ）を２段のダブル幅に形成したものである。
【００１８】
図１０は芯材１６を削除した屋根材２８の一例であり、（ａ）は図９（ｂ）の屋根材１６を示したもの、（ｂ）は（ａ）において、係止部３１をコ字状に形成したもの、（ｃ）は上、下端を屈曲した係合部３２、係止部３１としたもの、（ｄ）は（ｃ）において、係合部３２、係止部３１をコ字状に形成したもの、（ｅ）は図９（ｃ）の屋根材２８において係止部３１をコ字状に形成したもの、（ｆ）は、（ａ）において、固定片２９を形成し、係合部３２に沿って密着したガイド片３３としたもの、（ｇ）は上記（ｆ）において、化粧面１９の中央に段差３４を形成したものである。
【００１９】
【発明の効果】
上述したように本発明に係る既存家屋の外装改修構造によれば、（１）肉厚１．６ｍｍ以下の下地材を使用することで、取り扱いが楽（軽い等）になり、熟練を必要とせず、短期間で、重機を使用せずに施工できる。（２）居住を中断する必要がない。（３）既存外装と新規外装との間で空気循環（エアサイクル）を行い得る構造としたため、結露もなく、かつ対衝撃性に優れる。（４）クッション材を使用することで、下地材の表面に凹凸があってもこれを吸収し、美しい外観の壁体を形成することができる。（５）既存壁面、あるいは土台部からの湿気をクッション材によって防止し、下地材の発錆を抑えることができる。（６）下地材に予めクッション材を装着しておけば、位置決め等の工程を省略して、一工程での施工が可能である。（７）既存家屋の凹凸を、一定間隔で配置し、下地材と接触すると共に、下地材の折れ曲がった先端部が突リブにぶつかるようにしたクッション材の弾力によって排除して固定することができる。等の特徴、効果がある。
【図面の簡単な説明】
【図１】本発明に係る既存家屋の外装改修構造の代表例を示す説明図である。
【図２】本発明に係る既存家屋の外装改修構造の代表例を示す説明図である。
【図３】本発明に係る既存家屋の外装改修構造の代表例を示す説明図である。
【図４】クッション材のその他の例を示す説明図である。
【図５】下地材のその他の例を示す説明図である。
【図６】新規外装材のその他の例を示す説明図である。
【図７】新規外装材のその他の例を示す説明図である。
【図８】新規外装材のその他の例を示す説明図である。
【図９】新規外装材のその他の例を示す説明図である。
【図１０】新規外装材のその他の例を示す説明図である。
【符号の説明】
Ａ 外壁改修構造
Ｂ 既存家屋
Ｃ 新規外装材
Ｄ 金属薄板材
Ｅ 下地材
Ｆ クッション材
１ 既存壁
２ 主柱
３ 間柱
４ 木摺り
５ ラス材
６ シート状物
７ モルタル
８ 既存屋根
９ 母屋
１０ 垂木
１１ 野地板
１２ コロニアル
１３ 固定具
１４ 凸リブ
１５広幅角状の凸リブ
１６ 芯材
１７ 外壁材
１８ 目地底辺
１９ 化粧面
２０ 化粧リブ
２１ 鎧張状化粧面
２２ セミ鎧張状化粧面
２３ セラミック外壁材
２４ 中空部
２５ 縦張外壁材
２６ 雌型連結部
２７ 雄型連結部
２８ 屋根材
２９ 固定片
３０ 裏面材
３１ 係止部
３２ 係合部
３３ ガイド片
３４ 段差
【図１】
0003880017.tif 000002
【図２】
0003880017.tif 000003
【図３】
0003880017.tif 000004
【図４】
0003880017.tif 000005
【図５】
0003880017.tif 000006
【図６】
0003880017.tif 000007
【図７】
0003880017.tif 000008
【図８】
0003880017.tif 000009
【図９】
0003880017.tif 000010
【図１０】
0003880017.tif 000011